(57)【特許請求の範囲】
【請求項１】
車室ビーコン送信器と、車室ビーコン受信器と、サーバ装置と、情報端末を含む駐車場車室管理システムであって、
前記車室ビーコン送信器は、
駐車場の各車室に設置され、所定時間毎にビーコン識別番号を発信し、
前記車室ビーコン受信器は、
前記車室ビーコン送信器から前記ビーコン識別番号を受信した場合に前記サーバ装置に前記受信したビーコン識別番号を送信し、
前記サーバ装置は、
所定時間毎に前記ビーコン識別番号を受信した場合に当該受信したビーコン識別番号に対応する車室が空状態であるものとし、それ以外の車室が満状態であるものとして、利用者に表示するデータである表示データを更新する車室満空管理部と、
前記情報端末からデータ要求を受信した場合に、前記表示データを取得して、当該表示データを前記情報端末に送信する表示データ送信部とを含み、
前記情報端末は、
前記サーバ装置に前記データ要求を送信し、前記表示データを受信した場合に、当該表示データを利用者に表示する表示部を含む
駐車場車室管理システム。
【請求項２】
請求項１に記載の駐車場車室管理システムであって、
入場ビーコン送信器と、入場ビーコン受信器と、出場ビーコン送信器と、出場ビーコン受信器をさらに含み、
前記入場ビーコン送信器は、
前記駐車場または前記駐車場の各フロアに入場する車線の近傍に設置され、所定時間毎にビーコン識別番号を発信し、
前記入場ビーコン受信器は、
前記駐車場または前記駐車場の各フロアに入場する車線の近傍に設置され、前記入場ビーコン送信器から前記ビーコン識別番号を受信した場合に前記サーバ装置に前記受信したビーコン識別番号を送信し、
前記出場ビーコン送信器は、
前記駐車場または前記駐車場の各フロアから出場する車線の近傍に設置され、所定時間毎にビーコン識別番号を発信し、
前記出場ビーコン受信器は、
前記駐車場または前記駐車場の各フロアから出場する車線の近傍に設置され、前記出場ビーコン送信器から前記ビーコン識別番号を受信した場合に前記サーバ装置に前記受信したビーコン識別番号を送信し、
前記サーバ装置は、
前記入場ビーコン送信器を示すビーコン識別番号の受信が途絶した回数と、前記出場ビーコン送信器を示すビーコン識別番号の受信が途絶した回数に基づいて、前記駐車場、または前記駐車場の各フロアを回遊する車両の台数を取得して、前記表示データを更新する回遊台数管理部をさらに含む
駐車場車室管理システム。
【請求項３】
請求項１または２に記載の駐車場車室管理システムであって、
事前精算機をさらに含み、
前記事前精算機は、
事前精算が行われるたびに前記サーバ装置に事前精算終了通知を送信し、
前記サーバ装置は、
前記事前精算終了通知の受信回数に応じて、前記表示データを更新する事前精算台数管理部をさらに含む
駐車場車室管理システム。
【請求項４】
請求項１から３の何れかに記載の駐車場車室管理システムであって、
店舗ビーコン送信器をさらに含み、
前記店舗ビーコン送信器は、
前記駐車場と店舗を連絡する通路近傍に設置され、所定時間毎にビーコン識別番号を発信し、
前記情報端末は、
前記何れかのビーコン送信器からビーコン識別番号を受信して、受信したビーコン識別番号を自端末を識別する情報端末識別番号と共に前記サーバ装置に送信するビーコンＩＤ送信部をさらに含み、
前記サーバ装置は、
前記情報端末から前記店舗ビーコン送信器を示すビーコン識別番号と前記情報端末識別番号を受信した後、所定時間内に前記情報端末から前記店舗ビーコン送信器以外の何れかのビーコン送信器を示すビーコン識別番号と前記情報端末識別番号を受信した場合に、前記店舗から前記駐車場に新たに利用者が入場したものと判定し、当該判定結果に応じて前記表示データを更新する場内利用者数管理部をさらに含む
駐車場車室管理システム。
【請求項５】
請求項１から４の何れかに記載の駐車場車室管理システムであって、
前記サーバ装置は、
前記表示データに基づいて、前記駐車場への入場から前記車室への駐車までに要する待ち時間を予測し、前記予測された待ち時間に基づいて前記表示データを更新する待ち時間予測部をさらに含む
駐車場車室管理システム。
【請求項６】
駐車場の各車室に設置された車室ビーコン送信器と、車室ビーコン受信器と、サーバ装置と、情報端末が実行する駐車場車室管理方法であって、
前記車室ビーコン送信器は、
所定時間毎にビーコン識別番号を発信し、
前記車室ビーコン受信器は、
前記車室ビーコン送信器から前記ビーコン識別番号を受信した場合に前記サーバ装置に前記受信したビーコン識別番号を送信し、
前記サーバ装置は、
所定時間毎に前記ビーコン識別番号を受信した場合に当該受信したビーコン識別番号に対応する車室が空状態であるものとし、それ以外の車室が満状態であるものとして、利用者に表示するデータである表示データを更新し、
前記情報端末は、
前記サーバ装置にデータ要求を送信し、
前記サーバ装置は、
前記情報端末から前記データ要求を受信した場合に、前記表示データを取得して、当該表示データを前記情報端末に送信し、
前記情報端末は、
前記表示データを受信した場合に、当該表示データを利用者に表示する
駐車場車室管理方法。
【請求項７】
請求項６に記載の駐車場車室管理方法であって、
前記駐車場または前記駐車場の各フロアに入場する車線の近傍に設置された入場ビーコン送信器および入場ビーコン受信器と、前記駐車場または前記駐車場の各フロアから出場する車線の近傍に設置された出場ビーコン送信器および出場ビーコン受信器が実行するステップをさらに含み、
前記入場ビーコン送信器は、
所定時間毎にビーコン識別番号を発信し、
前記入場ビーコン受信器は、
前記入場ビーコン送信器から前記ビーコン識別番号を受信した場合に前記サーバ装置に前記受信したビーコン識別番号を送信し、
前記出場ビーコン送信器は、
所定時間毎にビーコン識別番号を発信し、
前記出場ビーコン受信器は、
前記出場ビーコン送信器から前記ビーコン識別番号を受信した場合に前記サーバ装置に前記受信したビーコン識別番号を送信し、
前記サーバ装置は、
前記入場ビーコン送信器を示すビーコン識別番号の受信が途絶した回数と、前記出場ビーコン送信器を示すビーコン識別番号の受信が途絶した回数に基づいて、前記駐車場、または前記駐車場の各フロアを回遊する車両の台数を取得して、前記表示データを更新する
駐車場車室管理方法。
【請求項８】
請求項６または７に記載の駐車場車室管理方法であって、
事前精算機が実行するステップをさらに含み、
前記事前精算機は、
事前精算が行われるたびに前記サーバ装置に事前精算終了通知を送信し、
前記サーバ装置は、
前記事前精算終了通知の受信回数に応じて、前記表示データを更新する
駐車場車室管理方法。
【請求項９】
請求項６から８の何れかに記載の駐車場車室管理方法であって、
前記駐車場と店舗を連絡する通路近傍に設置された店舗ビーコン送信器が実行するステップをさらに含み、
前記店舗ビーコン送信器は、
所定時間毎にビーコン識別番号を発信し、
前記情報端末は、
前記何れかのビーコン送信器からビーコン識別番号を受信して、受信したビーコン識別番号を自端末を識別する情報端末識別番号と共に前記サーバ装置に送信し、
前記サーバ装置は、
前記情報端末から前記店舗ビーコン送信器を示すビーコン識別番号と前記情報端末識別番号を受信した後、所定時間内に前記情報端末から前記店舗ビーコン送信器以外の何れかのビーコン送信器を示すビーコン識別番号と前記情報端末識別番号を受信した場合に、前記店舗から前記駐車場に新たに利用者が入場したものと判定し、当該判定結果に応じて前記表示データを更新する
駐車場車室管理方法。
【請求項１０】
請求項６から９の何れかに記載の駐車場車室管理方法であって、
前記サーバ装置は、
前記表示データに基づいて、前記駐車場への入場から前記車室への駐車までに要する待ち時間を予測し、前記予測された待ち時間に基づいて前記表示データを更新する
駐車場車室管理方法。
【請求項１１】
コンピュータを請求項１から５の何れかに記載の駐車場車室管理システムにおけるサーバ装置として機能させるためのプログラム。
【発明の詳細な説明】
【技術分野】
【０００１】
本発明は、駐車場の車室に関する情報を駐車場利用者に提供する駐車場車室管理システム、駐車場車室管理方法、プログラムに関する。
【背景技術】
【０００２】
従来、駐車場の各車室の満空状態を検知して、駐車場全体の使用効率を高めることが試みられている。
【０００３】
例えば特許文献１には、在車検知センサ数に依存しない満車検知装置が開示されている。特許文献１の満車検知装置は、多重伝送により在車検知センサと接続し在車検知センサの状態を検知する多重伝送処理部と、動作開始時に多重伝送処理部に接続されている所定地域内の在車検知センサの数を認識する在車検知センサ数認識部と、在車を検知した在車検知センサ数と多重伝送処理部に接続されている在車検知センサ数とが等しいか否かにより該所定地域が満車状態であるか否かを判断し満車状態であれば満車情報を出力する満車状態判断部を含む。
【先行技術文献】
【特許文献】
【０００４】
【特許文献１】特開平８−２３５４９８号公報
【発明の概要】
【発明が解決しようとする課題】
【０００５】
特許文献１に記載の満車検知装置は、車両の有無を画像処理することにより判断するものであるため、車両の有無を判断する処理が複雑となり、設備コストが高くなる問題点がある。そこで本発明では、安価な構成で駐車場の車室に関する情報を取得して駐車場利用者に提供することができる駐車場車室管理システムを提供することを目的とする。
【課題を解決するための手段】
【０００６】
本発明の駐車場車室管理システムは、車室ビーコン送信器と、車室ビーコン受信器と、サーバ装置と、情報端末を含む。
【０００７】
車室ビーコン送信器は、駐車場の各車室に設置され、所定時間毎にビーコン識別番号を発信する。車室ビーコン受信器は、車室ビーコン送信器からビーコン識別番号を受信した場合にサーバ装置に受信したビーコン識別番号を送信する。
【０００８】
サーバ装置は、車室満空管理部と、表示データ送信部とを含む。車室満空管理部は、所定時間毎にビーコン識別番号を受信した場合に当該受信したビーコン識別番号に対応する車室が空状態であるものとし、それ以外の車室が満状態であるものとして、利用者に表示するデータである表示データを更新する。表示データ送信部は、情報端末からデータ要求を受信した場合に、表示データを取得して、当該表示データを情報端末に送信する。
【０００９】
情報端末は、表示部を含む。表示部は、サーバ装置にデータ要求を送信し、表示データを受信した場合に、当該表示データを利用者に表示する。
【発明の効果】
【００１０】
本発明の駐車場車室管理システムによれば、安価な構成で駐車場の車室に関する情報を取得して駐車場利用者に提供することができる。
【図面の簡単な説明】
【００１１】
【図１】実施例１の駐車場車室管理システムの概要を示す図。
【図２】実施例１の駐車場車室管理システムにおける各ビーコンの配置例を示す図。
【図３】実施例１の駐車場車室管理システムの構成を示すブロック図。
【図４】実施例１の駐車場車室管理システムの動作を示すシーケンス図。
【図５】実施例１の駐車場車室管理システムの動作を示すシーケンス図。
【図６】実施例１の情報端末の表示部が表示する表示データの例を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
以下、図１を参照して実施例１の駐車場車室管理システムの概略を説明する。図１は、本実施例の駐車場車室管理システム１の概要を示す図である。図１に示すように、本実施例の駐車場車室管理システム１は、車室ビーコン送信器１０Ｓと、車室ビーコン受信器１０Ｒと、入場ビーコン送信器１０ＥＳと、入場ビーコン受信器１０ＥＲと、出場ビーコン送信器１０ＸＳと、出場ビーコン受信器１０ＸＲと、店舗ビーコン送信器１０ＭＳと、サーバ装置２０と、情報端末３０と、事前精算機５０を含む。車室ビーコン受信器１０Ｒと、入場ビーコン受信器１０ＥＲと、出場ビーコン受信器１０ＸＲと、情報端末３０と、事前精算機５０はネットワーク９０を介してサーバ装置２０と通信可能に接続されている。例えばネットワーク９０は、移動体通信網、無線ＬＡＮなどでよい。
【００１４】
情報端末３０として、携帯端末、ノートパソコン、タブレット、ＰＤＡ、カーナビゲーション装置、その他の表示画面を有する電子機器全般を含むものとする。なお本実施例では、情報端末３０が携帯端末などの持ち運び可能な電子機器であるものとして説明するが、これに限らず、情報端末３０はカーナビゲーション装置などの持ち運び可能でない電子機器であってもよい。なお、情報端末３０をカーナビゲーション装置などの持ち運び可能でない電子機器とした場合、店舗ビーコン送信器１０ＭＳと、後述するビーコンＩＤ送信部３１、場内利用者数管理部２４は省略される。また、後述する情報端末３０の役割を複数の電子機器で担うこととしてもよい。例えば、持ち運び可能な電子機器と持ち運び可能でない電子機器の二つで情報端末３０の役割を担うことも可能である。この場合、持ち運び可能な電子機器は少なくとも後述するビーコンＩＤ送信部３１、場内利用者数管理部２４を含むものとし、店舗ビーコン送信器１０ＭＳと通信を行うものとする。この場合、後述する車室満空管理部２１、回遊台数管理部２２、事前精算台数管理部２３、待ち時間予測部２５、表示データ送信部２６、データ記憶部２７は、双方あるいは片方の電子機器に含まれればよい。
【００１５】
以下、図２を参照して各ビーコンの配置および必要な台数について説明する。図２は、本実施例の駐車場車室管理システム１における各ビーコンの配置例を示す図である。図２に示すように、車室ビーコン送信器１０Ｓは、駐車場の各車室に設置される。各車室ビーコン送信器１０Ｓは、各車室中央位置に、車両の通行を妨げないように埋設されていてもよい。車室ビーコン受信器１０Ｒは、車室ビーコン送信器１０Ｓと同様に駐車場の各車室に設置されていてもよいし、図２に示すように複数の隣り合う車室をまとめて管理するように、複数の車室につき一台ずつ設置されていてもよい。ただし、車室ビーコン送信器１０Ｓからのビーコン信号は、車室ビーコン受信器１０Ｒに到達する過程において、車両以外の遮蔽物によって遮蔽されないことが好適である。例えば、図２の配置において車両が遮蔽物とならない場合であれば、車室ビーコン送信器１０Ｓからのビーコン信号は遮蔽されることなく車室ビーコン受信器１０Ｒに到達する。一方、図２の配置において車両が遮蔽物となる場合であれば、車室ビーコン送信器１０Ｓからのビーコン信号は車両に遮られて、車室ビーコン受信器１０Ｒに十分に到達できないか、到達したとしてもその信号強度は車両の存在によって弱められる。車室ビーコン送信器１０Ｓは、所定時間毎に自器を識別するビーコン識別番号を発信するものとする。
【００１６】
図２に示すように入場ビーコン送信器１０ＥＳおよび入場ビーコン受信器１０ＥＲは、駐車場または駐車場の各フロアに入場する車線の近傍に設置される。入場ビーコン送信器１０ＥＳは、該当車線の地面（フロア面）に、車両の通行を妨げないように埋設されていてもよい。入場ビーコン受信器１０ＥＲは、例えば該当車線に近接する壁面に設置もしくは埋設されていてもよい。ただし、入場ビーコン送信器１０ＥＳからのビーコン信号は、入場ビーコン受信器１０ＥＲに到達する過程において、車両以外の遮蔽物によって遮蔽されないことが好適である。例えば、図２の配置において車両が遮蔽物とならない場合であれば、入場ビーコン送信器１０ＥＳからのビーコン信号は遮蔽されることなく入場ビーコン受信器１０ＥＲに到達する。一方、図２の配置において車両が遮蔽物となる場合であれば、入場ビーコン送信器１０ＥＳからのビーコン信号は車両に遮られて、入場ビーコン受信器１０ＥＲに十分に到達できないか、到達したとしてもその信号強度は車両の存在によって弱められる。入場ビーコン送信器１０ＥＳは、所定時間毎に自器を識別するビーコン識別番号を発信するものとする。
【００１７】
図２に示すように出場ビーコン送信器１０ＸＳおよび出場ビーコン受信器１０ＸＲは、駐車場または駐車場の各フロアから出場する車線の近傍に設置される。出場ビーコン送信器１０ＸＳは、該当車線の地面（フロア面）に、車両の通行を妨げないように埋設されていてもよい。出場ビーコン受信器１０ＸＲは、例えば該当車線に近接する壁面に設置もしくは埋設されていてもよい。ただし、出場ビーコン送信器１０ＸＳからのビーコン信号は、出場ビーコン受信器１０ＸＲに到達する過程において、車両以外の遮蔽物によって遮蔽されないことが好適である。例えば、図２の配置において車両が遮蔽物とならない場合であれば、出場ビーコン送信器１０ＸＳからのビーコン信号は遮蔽されることなく出場ビーコン受信器１０ＸＲに到達する。一方、図２の配置において車両が遮蔽物となる場合であれば、出場ビーコン送信器１０ＸＳからのビーコン信号は車両に遮られて、出場ビーコン受信器１０ＸＲに十分に到達できないか、到達したとしてもその信号強度は車両の存在によって弱められる。出場ビーコン送信器１０ＸＳは、所定時間毎に自器を識別するビーコン識別番号を発信するものとする。
【００１８】
店舗ビーコン送信器１０ＭＳは、駐車場と店舗を連絡する通路近傍に設置される。図２の例のように、店舗ビーコン送信器１０ＭＳは、駐車場と店舗を連絡する通路近傍であるエレベータ室の中に設置されていてもよい。店舗ビーコン送信器１０ＭＳは、所定時間毎に自器を識別するビーコン識別番号を発信するものとする。なお、図２の駐車場の例を使って本実施例の駐車場車室管理システム１の動作を説明するとき、適宜図２に表された情報端末３０、事前精算機５０、利用者６０、自動車８０を用いて説明する。また、図２に示す駐車場は屋内駐車場の複数ある駐車フロアのうちのひとつのフロアを示しているものとし、後述する説明では、駐車フロアが複数あることを前提に説明する。ただし、本発明の駐車場車室管理システムは、フロアを複数持たない駐車場に対しても適用可能である。フロアを複数持たない駐車場において本システムを適用する場合には、後述する説明において記載「駐車フロア」を「駐車場」と読み替えればよい。
【００１９】
上述したように、車室ビーコン送信器１０Ｓ、入場ビーコン送信器１０ＥＳ、出場ビーコン送信器１０ＸＳ、店舗ビーコン送信器１０ＭＳは所定時間毎に自器を識別するビーコン識別番号を発信する。これらのビーコン送信器のうち、入場ビーコン送信器１０ＥＳ、出場ビーコン送信器１０ＸＳは時速１０〜４５ｋｍ程度の速度で走行する車両の検知に用いるため、例えば５０〜１００ｍｓに１回の頻度（１０〜２０回／秒）で信号を発信すれば好適である。この他のビーコン送信器については、信号送信の頻度を小さくしてもよい。またビーコン送信器として例えば２．５ＧＨｚ帯の信号を発信する機器を用いれば、信号の回り込みが低減される分、車両による遮蔽の検出が容易になる。
【００２０】
以下、図３を参照して本実施例の駐車場車室管理システム１の構成について説明する。図３は、本実施例の駐車場車室管理システム１の構成を示すブロック図である。図３に示すように本実施例のサーバ装置２０は、車室満空管理部２１と、回遊台数管理部２２と、事前精算台数管理部２３と、場内利用者数管理部２４と、待ち時間予測部２５と、表示データ送信部２６と、データ記憶部２７を含む構成である。データ記憶部２７には、利用者に表示するデータである表示データ（後述）が記憶されているものとする。本実施例の情報端末３０は、ビーコンＩＤ送信部３１と、表示部３２を含む構成である。
【００２１】
以下、図４、図５を参照して本実施例の駐車場車室管理システム１の動作について説明する。図４、図５は、本実施例の駐車場車室管理システム１の動作を示すシーケンス図である。まず車室ビーコン送信器１０Ｓは、所定時間毎にビーコン識別番号を発信する。例えば、車室ビーコン送信器１０Ｓは１０秒に１回の頻度でビーコン識別番号を発信してもよい。車室ビーコン受信器１０Ｒは、車室ビーコン送信器１０Ｓからビーコン識別番号を受信した場合に、サーバ装置２０に受信したビーコン識別番号を送信する（Ｓ１０Ｒ−１）。サーバ装置２０の車室満空管理部２１は、車室ビーコン受信器１０Ｒからビーコン識別番号を受信する（Ｓ２１−１）。サーバ装置２１の車室満空管理部２１は、所定時間毎にビーコン識別番号を受信した場合に当該受信したビーコン識別番号に対応する車室が空状態であるものとし、それ以外の車室が満状態であるものとして、データ記憶部２７に記憶された表示データを更新する（Ｓ２１−２）。
【００２２】
入場ビーコン送信器１０ＥＳは、所定時間毎にビーコン識別番号を発信する。例えば、入場ビーコン送信器１０ＥＳは５０ｍｓに１回の頻度でビーコン識別番号を発信してもよい。入場ビーコン受信器１０ＥＲは、入場ビーコン送信器１０ＥＳからビーコン識別番号を受信した場合に、サーバ装置２０に受信したビーコン識別番号を送信する（Ｓ１０ＥＲ−１）。サーバ装置２０の回遊台数管理部２２は、入場ビーコン受信器１０ＥＲからビーコン識別番号を受信する（Ｓ２２−１）。同様に、出場ビーコン送信器１０ＸＳは、所定時間毎にビーコン識別番号を発信する。例えば、出場ビーコン送信器１０ＸＳは入場ビーコン送信器１０ＥＳと同様に５０ｍｓに１回の頻度でビーコン識別番号を発信してもよい。出場ビーコン受信器１０ＸＲは、出場ビーコン送信器１０ＸＳからビーコン識別番号を受信した場合に、サーバ装置２０に受信したビーコン識別番号を送信する（１０ＸＲ−１）。サーバ装置２０の回遊台数管理部２２は、出場ビーコン受信器１０ＸＲからビーコン識別番号を受信する（Ｓ２２−２）。サーバ装置２０の回遊台数管理部２２は、入場ビーコン送信器１０ＥＳを示すビーコン識別番号の受信が途絶した回数と、出場ビーコン送信器１０ＸＳを示すビーコン識別番号の受信が途絶した回数に基づいて、駐車場、または駐車場の各フロアを回遊する車両の台数を取得して、表示データを更新する（Ｓ２２−３）。例えば、回遊台数管理部２２は、入場ビーコン送信器１０ＥＳを示すビーコン識別番号の受信が所定時間（例えば０．５秒、５０ｍｓに１回の頻度で信号を送信する場合には、合計１０回分の信号）途絶された場合に、駐車場、あるいは駐車フロアに入場した車両の台数を＋１する。反対に、回遊台数管理部２２は、出場ビーコン送信器１０ＸＳを示すビーコン識別番号の受信が所定時間（例えば０．５秒、前述と同様）途絶された場合に、駐車フロアに入場した車両の台数を−１する。回遊台数管理部２２は、このようにして駐車フロアに入場した車両の台数をカウントし、カウントされた台数から駐車フロアの駐車可能台数を差し引くことで回遊台数を算出する。回遊台数の算出結果が負の値になった場合は、回遊台数管理部２２は当該算出結果をゼロに置き換える。
【００２３】
事前精算機５０は、事前精算が行われるたびにサーバ装置２０に事前精算終了通知を送信する（Ｓ５０−１）。サーバ装置２０の事前精算台数管理部２３は、事前精算機５０から事前精算終了通知を受信する（Ｓ２３−１）。サーバ装置２０の事前精算台数管理部２３は、事前精算終了通知の受信回数に応じて、表示データを更新する（Ｓ２３−２）。
【００２４】
店舗ビーコン送信器１０ＭＳは、所定時間毎にビーコン識別番号を発信する。情報端末３０のビーコンＩＤ送信部３１は、店舗ビーコン送信器１０ＭＳを含む任意のビーコン送信器からビーコン識別番号を受信して、受信したビーコン識別番号を自端末を識別する情報端末識別番号と共にサーバ装置に送信する（Ｓ３１−１）。サーバ装置２０の場内利用者数管理部２４は、情報端末３０から店舗ビーコン送信器１０ＭＳを含む任意のビーコン送信器のビーコン識別番号と、情報端末識別番号を受信する（Ｓ２４−１）。サーバ装置２０の場内利用者数管理部２４は、情報端末３０から店舗ビーコン送信器１０ＭＳを示すビーコン識別番号と情報端末識別番号を受信した後、所定時間内に情報端末３０から店舗ビーコン送信器１０ＭＳ以外の何れかのビーコン送信器を示すビーコン識別番号と情報端末識別番号を受信した場合に、店舗から駐車場に新たに利用者が入場したものと判定し、当該判定結果に応じて表示データを更新する（Ｓ２４−２）。
【００２５】
例えば、場内利用者数管理部２４が店舗ビーコン送信器１０ＭＳのビーコン識別番号を受信した後、しばらくして何れかの車室ビーコン送信器１０Ｓのビーコン識別番号を受信した場合、これらのビーコン識別番号に付帯する情報端末識別番号が同一であれば、当該情報端末識別番号に対応する情報端末３０は、店舗から駐車場への連絡通路周辺（店舗ビーコン送信器１０ＭＳ設置箇所）に近接したあと、そのしばらく後に該当の車室ビーコン送信器１０Ｓ設置箇所に近接したものと判定できる。従って、店舗ビーコン送信器１０ＭＳのビーコン識別番号を受信した後、しばらくして何れかの車室ビーコン送信器１０Ｓのビーコン識別番号を受信した場合、これらのビーコン識別番号に付帯する情報端末識別番号が同一であれば、該当の情報端末３０を所持した利用者６０が、店舗から駐車場方向に徒歩で移動したものと推定できる。これとは逆に、例えば場内利用者数管理部２４が何れかの車室ビーコン送信器１０Ｓのビーコン識別番号を受信した後、しばらくして店舗ビーコン送信器１０ＭＳのビーコン識別番号を受信した場合、これらのビーコン識別番号に付帯する情報端末識別番号が同一であれば、該当の情報端末３０を所持した利用者６０が、駐車場から店舗方向に徒歩で移動したものと推定できる。場内利用者数管理部２４はこの判定結果に応じてデータ記憶部２７に記憶された表示データを更新する。
【００２６】
サーバ装置２０の待ち時間予測部２５は、最新の表示データに基づいて、駐車場への入場から車室への駐車までに要する待ち時間を予測し（Ｓ２５−１）、予測された待ち時間に基づいて表示データを更新する（Ｓ２５−２）。待ち時間予測部２５は例えばあるフロアにおいて、（回遊台数）＜（空いている車室数）の条件を充たす場合には、そのフロアにおける待ち時間を０とする。この条件を充たさない場合、待ち時間予測部２５は（回遊台数）＜（空いている車室数）＋（事前精算台数）の条件を充たす場合には、例えば待ち時間を５分とする。例えば（回遊台数）、（空いている車室数）、（事前精算台数）、（場内利用者数）を実験変数として実験者が操作する実験を行い、これらの実験変数に対して待ち時間がどのように変動するかを調べ、これらの実験変数から待ち時間を予測する予測式を導くことができる。待ち時間予測部２５はこの予測式に各パラメータを代入して待ち時間を算出してもよい。例えば上述の実験を小規模、中規模、大規模のモデル駐車場のそれぞれに対して行えば、規模に応じて３つの予測式を得ることも可能である。この場合、本実施例のシステムにおいて管理運営される駐車場の規模がどの段階にあたるかに応じて、使用する予測式を変更することができる。
【００２７】
情報端末３０の表示部３２は、利用者６０の操作に従って、サーバ装置２０にデータ要求を送信する（Ｓ３２−１）。サーバ装置２０の表示データ送信部２６は、情報端末３０からデータ要求を受信する（Ｓ２６−１）。サーバ装置２０の表示データ送信部２６は、情報端末３０からデータ要求を受信した場合に、データ記憶部２７から最新の表示データを取得して（Ｓ２６−２）、当該表示データを情報端末３０に送信する（Ｓ２６−３）。情報端末３０の表示部３２は、サーバ装置２０から表示データを受信する（Ｓ３２−２）。情報端末３０の表示部３２は、サーバ装置２０から表示データを受信した場合に、当該表示データを利用者６０に表示する（Ｓ３２−３）。
【００２８】
以下、図６を参照して表示部３２に表示される表示データの例について説明する。図６は、本実施例の情報端末３０の表示部３２が表示する表示データの例を示す図である。図６に示すように、例えば表示部３２の左上隅などにフロア情報を表示し、当該フロアの見取り図を表示してもよい。見取り図にはフロア内の全ての車室を表示し、この車室の中に例えば「満」「空」などのテキストを表示し、車室が満車になっているか空車になっているかを表示してもよい。また、満車の場合に車室を赤色で、空車の場合に車室を緑色で表示するなど、色によって車室の状態を表現してもよい。この他の情報である回遊台数、事前精算台数、場内利用者数、予測待ち時間については、図６に示すように、見取り図の下側にテキストで表示してもよい。表示部３２に表示される表示データは図６の例に限らず、利用者６０が確認可能な表示方法であれば、どんな表示方法であってもよい。
【００２９】
また、上述の図４、図５に示した手順は必ずしも説明した順序で実行されなくてもよい。上述では、車室の満空管理、回遊台数の管理、事前精算台数の管理、場内利用者数の管理、予測待ち時間の管理の順序で説明したが、これらの順序には特に決まりはないため、順序を入れ替えて実行してもよいし、実行頻度がまちまちであっても構わない。また、車室の満空管理、回遊台数の管理、事前精算台数の管理、場内利用者数の管理、予測待ち時間の管理のうちの何れかの処理を適宜省略してもよい。
【００３０】
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００３１】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００３２】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３３】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３４】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３５】
また、この形態では、コンピュータ上で所定のプログラムを実行させることにより、本装置を構成することとしたが、これらの処理内容の少なくとも一部をハードウェア的に実現することとしてもよい。
【要約】
【課題】安価な構成で駐車場の車室に関する情報を取得して駐車場利用者に提供することができる駐車場車室管理システムを提供する。
【解決手段】車室ビーコン送信器は駐車場の各車室に設置され所定時間毎にビーコン識別番号を発信し、車室ビーコン受信器は車室ビーコン送信器からビーコン識別番号を受信した場合にサーバ装置に受信したビーコン識別番号を送信し、サーバ装置は、所定時間毎にビーコン識別番号を受信した場合に当該受信したビーコン識別番号に対応する車室が空状態であるものとして利用者に表示するデータである表示データを更新する車室満空管理部と、情報端末からデータ要求を受信した場合に表示データを取得して当該表示データを情報端末に送信する表示データ送信部とを含み、情報端末は、サーバ装置にデータ要求を送信し表示データを受信した場合に当該表示データを利用者に表示する表示部を含む。
【選択図】図３【図１】
0005908049.tif 000002
【図２】
0005908049.tif 000003
【図３】
0005908049.tif 000004
【図４】
0005908049.tif 000005
【図５】
0005908049.tif 000006
【図６】
0005908049.tif 000007